(57)【要約】【課題】入力装置が取得した情報を電子機器に提示させることができる。【解決手段】表示装置（テレビ）２０のリモコン装置１は、入力部２が所定のユーザ操作を取得したとき、ファームウェアのバージョン番号を取得するバージョン取得部６と、取得したバージョン番号に対応する信号パターンを、パターン記憶部９に記憶されているチャンネル切り換えのための信号パターンから抽出するパターン取得部８と、抽出した信号パターンに基づくチャンネル切り換え信号を送信する無線信号送信部１０とを備える。【選択図】図１
2008236261.tif 000002
【特許請求の範囲】
【請求項１】
受信した制御信号に従って動作し、該動作に応じた報知情報をユーザに提示する電子機器に対して、制御信号を送信する入力装置であって、
ユーザ操作に対応付けて信号パターンを記憶する信号パターン記憶部と、
ユーザ操作を取得するユーザ操作取得手段と、
上記ユーザ操作取得手段がユーザ操作を取得したとき、該ユーザ操作に対応付けられた信号パターンを上記信号パターン記憶部から取得する信号パターン取得手段と、
上記信号パターン取得手段が取得した上記信号パターンに基づく制御信号を電子機器に対して送信する制御信号送信手段とを備えるとともに、
上記ユーザ操作取得手段が所定のユーザ操作を取得したとき、提示情報を取得する提示情報取得手段を備え、
上記信号パターン取得手段は、上記提示情報取得手段が取得した上記提示情報に対応する信号パターンを、上記信号パターン記憶部に記憶されている信号パターンから抽出し、
上記制御信号送信手段は、上記信号パターン取得手段が抽出した上記信号パターンに基づく制御信号を電子機器に対して送信することを特徴とする入力装置。
【請求項２】
上記提示情報取得手段は、上記ユーザ操作取得手段が上記信号パターン記憶部に記憶されている信号パターンに対応付けられていない所定のユーザ操作を取得したとき、提示情報記憶部から提示情報を取得することを特徴とする請求項１に記載の入力装置。
【請求項３】
上記信号パターン取得手段は、上記提示情報取得手段が取得した上記提示情報を複数の分割情報に分割し、該分割情報のそれぞれについて、対応する信号パターンを上記信号パターン記憶部に記憶されている信号パターンから抽出し、
上記制御信号送信手段は、上記信号パターン取得手段が上記分割情報ごとに抽出した各信号パターンに基づく各制御信号を、所定の時間間隔をあけながら順番に電子機器に対して送信することを特徴とする請求項１に記載の入力装置。
【請求項４】
受信した制御信号に従って動作し、該動作に応じた報知情報をユーザに提示する電子機器に対して、制御信号を送信する入力装置の制御方法であって、
ユーザ操作を取得するユーザ操作取得ステップと、
上記ユーザ操作取得ステップにてユーザ操作を取得したとき、該ユーザ操作に対応付けられた信号パターンを、ユーザ操作に対応付けて信号パターンを記憶する信号パターン記憶部から取得する信号パターン取得ステップと、
上記信号パターン取得ステップにて取得した上記信号パターンに基づく制御信号を電子機器に対して送信する制御信号送信ステップとを含むとともに、
上記ユーザ操作取得ステップにて所定のユーザ操作を取得したとき、提示情報を取得する提示情報取得ステップを含み、
上記信号パターン取得ステップにて、上記提示情報取得ステップにて取得した上記提示情報に対応する信号パターンを、上記信号パターン記憶部に記憶されている信号パターンから抽出し、
上記制御信号送信ステップにて、上記信号パターン取得ステップにて抽出した上記信号パターンに基づく制御信号を電子機器に対して送信することを特徴とする入力装置の制御方法。
【請求項５】
受信したチャンネル切り換え信号に従ってチャンネル切り換えを行う時、切り換え後のチャンネルのチャンネル番号を表示するテレビに対して、チャンネル切り換え信号を送信するリモコン装置であって、
チャンネル番号に対応付けて該チャンネル番号のチャンネルへのチャンネル切り換えのための信号パターンを記憶する信号パターン記憶部と、
ユーザが選択したチャンネル番号を取得するユーザ操作取得手段と、
上記ユーザ操作取得手段がユーザが選択したチャンネル番号を取得したとき、該チャンネル番号に対応付けられた信号パターンを上記信号パターン記憶部から取得する信号パターン取得手段と、
上記信号パターン取得手段が取得した上記信号パターンに基づくチャンネル切り換え信号をテレビに対して送信する制御信号送信手段とを備えるとともに、
上記ユーザ操作取得手段が所定のユーザ操作を取得したとき、提示情報を取得する提示情報取得手段を備え、
上記信号パターン取得手段は、上記提示情報取得手段が取得した上記提示情報に対応する信号パターンを、上記信号パターン記憶部に記憶されているチャンネル切り換えのための信号パターンから抽出し、
上記制御信号送信手段は、上記信号パターン取得手段が抽出した上記信号パターンに基づくチャンネル切り換え信号をテレビに対して送信することを特徴とするリモコン装置。
【発明の詳細な説明】
【技術分野】
【０００１】
本発明は、テレビ等の電子機器に対して制御信号を送信する入力装置、入力装置の制御方法、リモコン装置に関するものである。
【背景技術】
【０００２】
近年、テレビを始めとする各種電子機器は、急速に高性能化、多機能化しており、これらの電子機器に入力指示を行う入力装置にも、電子機器の高性能化、多機能化に対応するために、さまざまな工夫がされている。
【０００３】
電子機器に入力指示を行う入力装置は、一般的にリモートコントローラ（以降、リモコン装置と略す）が用いられている。そして、一般に、リモコン装置には、電子機器に対して入力指示等を行う機能を規定したファームウェアが記録されている。
【０００４】
そして、電子機器の高性能化、多機能化に対応するために、リモコン装置の機能を拡張する場合、記録しているファームウェアを新しいバージョンのものに書き換えることが行われている。
【０００５】
そして、例えば、以下にあげる場合などの様々な場合において、リモコン装置に記録されているファームウェアのバージョンを確認する必要性が生じる。（１）テレビなどの電子機器のモデルの変更（モデルチェンジ）に対応して、リモコン装置自体は同じモデル使用し、リモコン装置に記録するファームウェアだけを修正した場合において、電子機器に対応したファームウェアが記録されているリモコン装置であるか否かを確認する場合。（２）テレビなどの電子機器は同じモデルでも、ある生産ロットからリモコン装置のファームウェアだけを修正した場合において、どのバージョンのファームウェアが記録されているリモコン装置であるかを確認する場合。（３）開発中のリモコン装置のファームウェアのバージョンを確認する場合。
【０００６】
そこで、リモコン装置に記録されているファームウェアのバージョンを確認する方法としては、リモコン装置および電子機器の修理やメンテナンス等を行うユーザが、リモコン装置のファームウェアのバージョンの違いによる機能の違いを把握しておき、バージョンの違いが分かる機能を使用する操作を実際に行うことにより、ファームウェアのバージョンの違いを確認する方法が挙げられる。
【０００７】
また、リモコン装置に記録されているファームウェアのバージョンを確認する他の方法としては、リモコン装置にファームウェアを記録した際、リモコン装置に目印となるシールを貼る、またはリモコン装置への刻印を変えるなど、リモコン装置の見た目を変える方法が挙げられる。
【０００８】
なお、特許文献１には、給湯システムを構成する給湯装置および台所リモコンのそれぞれに、製品の製造番号、マイコン基板名称、マイコン捺印名称、バージョンなどの製品特定情報を記憶させることにより、給湯装置および台所リモコンの保守点検を容易かつ確実に行うことが開示されている。
【特許文献１】特開２００４−１８３９３８（公開日：平成１６年７月２日）
【発明の開示】
【発明が解決しようとする課題】
【０００９】
しかしながら、上記従来の構成では、以下のような問題を生じる。
【００１０】
すなわち、ファームウェアのバージョンの違いによる機能の違いによって、リモコン装置に記録されているファームウェアのバージョンを見分ける方法は、汎用的でないため、新しいバージョンのファームウェアがリモコン装置に記録されるたびに、リモコン装置に記録されているファームウェアのバージョンの確認方法を考えなければならないという問題がある。そして、３種類以上のバージョンのファームウェアがリモコン装置に記録されている場合、それぞれのファームウェアのバージョンを確認するためのリモコン装置の操作が複雑になるという問題がある。
【００１１】
また、リモコン装置に目印となるシールを貼る方法では、シールが剥がれた場合、ファームウェアのバージョンの確認ができなくなるという問題がある。また、リモコン装置への刻印を変える方法では、新しい種類のファームウェアのバージョンがリモコン装置に記録される毎に刻印を変える必要があるため、リモコン装置の製造コストが上がってしまうという問題がある。
【００１２】
なお、特許文献１に記載の給湯システムでは、給湯装置と台所リモコンとで連携する必要がある。
【００１３】
本発明は、上記の問題点に鑑みてなされたものであり、その目的は、入力装置が取得した情報を電子機器に提示させることができる入力装置、入力装置の制御方法、リモコン装置を提供することにある。
【課題を解決するための手段】
【００１４】
上記課題を解決するために、本発明に係る入力装置は、受信した制御信号に従って動作し、該動作に応じた報知情報をユーザに提示する電子機器に対して、制御信号を送信する入力装置であって、ユーザ操作に対応付けて信号パターンを記憶する信号パターン記憶部と、ユーザ操作を取得するユーザ操作取得手段と、上記ユーザ操作取得手段がユーザ操作を取得したとき、該ユーザ操作に対応付けられた信号パターンを上記信号パターン記憶部から取得する信号パターン取得手段と、上記信号パターン取得手段が取得した上記信号パターンに基づく制御信号を電子機器に対して送信する制御信号送信手段とを備えるとともに、上記ユーザ操作取得手段が所定のユーザ操作を取得したとき、提示情報を取得する提示情報取得手段を備え、上記信号パターン取得手段は、上記提示情報取得手段が取得した上記提示情報に対応する信号パターンを、上記信号パターン記憶部に記憶されている信号パターンから抽出し、上記制御信号送信手段は、上記信号パターン取得手段が抽出した上記信号パターンに基づく制御信号を電子機器に対して送信することを特徴としている。
【００１５】
また、本発明に係る入力装置の制御方法は、受信した制御信号に従って動作し、該動作に応じた報知情報をユーザに提示する電子機器に対して、制御信号を送信する入力装置の制御方法であって、ユーザ操作を取得するユーザ操作取得ステップと、上記ユーザ操作取得ステップにてユーザ操作を取得したとき、該ユーザ操作に対応付けられた信号パターンを、ユーザ操作に対応付けて信号パターンを記憶する信号パターン記憶部から取得する信号パターン取得ステップと、上記信号パターン取得ステップにて取得した上記信号パターンに基づく制御信号を電子機器に対して送信する制御信号送信ステップとを含むとともに、上記ユーザ操作取得ステップにて所定のユーザ操作を取得したとき、提示情報を取得する提示情報取得ステップを含み、上記信号パターン取得ステップにて、上記提示情報取得ステップにて取得した上記提示情報に対応する信号パターンを、上記信号パターン記憶部に記憶されている信号パターンから抽出し、上記制御信号送信ステップにて、上記信号パターン取得ステップにて抽出した上記信号パターンに基づく制御信号を電子機器に対して送信することを特徴としている。
【００１６】
上記の構成により、まず、入力装置は、ユーザ操作を取得したとき、該ユーザ操作に対応付けられた信号パターンを信号パターン記憶部から取得し、該信号パターンに基づく制御信号を電子機器に対して送信する。そして、この制御信号を受信した電子機器は、制御信号に従って動作し、該動作に応じた報知情報をユーザに提示する。
【００１７】
加えて、上記入力装置は、所定のユーザ操作を取得したとき、提示情報記憶部から提示情報を取得する。そして、該提示情報に対応する信号パターンを信号パターン記憶部に記憶されている信号パターンから抽出して、該抽出した信号パターンに基づく制御信号を電子機器に対して送信する。その結果、この制御信号を受信した電子機器は、制御信号に従って動作し、該動作に応じた報知情報をユーザに提示することにより、入力装置が提示情報記憶部から取得した提示情報を提示することになる。
【００１８】
よって、上記の構成によれば、電子機器の動作とは関係のない、提示情報記憶部に格納された提示情報を、電子機器が動作に伴って報知情報を提示することを利用して、ユーザに提示させることができる。そして、そのために、入力装置でユーザが行う操作には簡易操作を割り当てることが可能であり、また、電子機器に新たな機能を追加する必要もない。それゆえ、製造コストが上がることもない。
【００１９】
したがって、本発明の入力装置は、自装置に提示情報を提示する機能、例えば、液晶等の表示パネルを搭載していない機器に好適である。また、提示情報を提示させる目的で電子機器に起こさせる動作としては、電子機器の状態にできるだけ影響を与えない動作、状態を復旧可能な動作が望ましい。
【００２０】
具体的には、本発明の入力装置は、例えば、テレビを遠隔操作するためのリモコン装置であって、チャンネル切り換えのためにチャンネル番号を含む制御信号を送信したときに、テレビの画面にチャンネル切り換え後のチャンネルのチャンネル番号が表示されることを利用して、リモコン装置に搭載されたファームウェアのバージョン、製造番号、ユーザのパスワード、デバイスＩＤ等を提示情報として、テレビの画面に表示させるリモコン装置として構成できる。
【００２１】
すなわち、本発明に係るリモコン装置は、受信したチャンネル切り換え信号に従ってチャンネル切り換えを行う時、切り換え後のチャンネルのチャンネル番号を表示するテレビに対して、チャンネル切り換え信号を送信するリモコン装置であって、チャンネル番号に対応付けて該チャンネル番号のチャンネルへのチャンネル切り換えのための信号パターンを記憶する信号パターン記憶部と、ユーザが選択したチャンネル番号を取得するユーザ操作取得手段と、上記ユーザ操作取得手段がユーザが選択したチャンネル番号を取得したとき、該チャンネル番号に対応付けられた信号パターンを上記信号パターン記憶部から取得する信号パターン取得手段と、上記信号パターン取得手段が取得した上記信号パターンに基づくチャンネル切り換え信号をテレビに対して送信する制御信号送信手段とを備えるとともに、上記ユーザ操作取得手段が所定のユーザ操作を取得したとき、提示情報を取得する提示情報取得手段を備え、上記信号パターン取得手段は、上記提示情報取得手段が取得した上記提示情報に対応する信号パターンを、上記信号パターン記憶部に記憶されているチャンネル切り換えのための信号パターンから抽出し、上記制御信号送信手段は、上記信号パターン取得手段が抽出した上記信号パターンに基づくチャンネル切り換え信号をテレビに対して送信することを特徴としている。
【００２２】
加えて、上記入力装置は、上記信号パターン記憶部に記憶されている信号パターンに対応付けられていない所定のユーザ操作を取得したとき、提示情報記憶部から提示情報を取得することを特徴としている。
【００２３】
ここで、提示情報を取得するトリガとなるユーザ操作（信号パターン記憶部に記憶されている信号パターンに対応付けられていない所定のユーザ操作）は、信号パターン記憶部に記憶されている信号パターンに対応付けられていないものであり、送信される制御信号を生成するための信号パターンに対応付けられているユーザ操作とは関係のないものである。なお、提示情報を取得するトリガとなるユーザ操作は、例えば、通常は入力されないキーの組合せによる操作である。
【００２４】
さらに、本発明に係る入力装置は、上記信号パターン取得手段は、上記提示情報取得手段が取得した上記提示情報を複数の分割情報に分割し、該分割情報のそれぞれについて、対応する信号パターンを上記信号パターン記憶部に記憶されている信号パターンから抽出し、上記制御信号送信手段は、上記信号パターン取得手段が上記分割情報ごとに抽出した各信号パターンに基づく各制御信号を、所定の時間間隔をあけながら順番に電子機器に対して送信することを特徴としている。
【００２５】
上記の構成により、さらに、提示情報が複数の分割情報に分割できる場合、該分割情報のそれぞれについて、対応する信号パターンを抽出し、各信号パターンに基づく各制御信号を、所定の時間間隔をあけながら順番に電子機器に対して送信する。よって、情報量の多い提示情報も電子機器に送信し、提示させることが可能となる。例えば、提示情報が複数桁よりなるバージョン番号等である場合には、各桁の数字に分割し、各桁の数字毎に電子機器に提示させることができる。
【００２６】
なお、制御信号同士の間の時間間隔は、電子機器に１度に１つの分割情報を提示させる場合には、ユーザが認識可能な時間だけあければよいし、電子機器に複数の分割情報をまとめて提示させる場合には、電子機器が入力装置から制御信号を確実に受信できる時間だけあければよい。
【発明の効果】
【００２７】
以上のように、本発明に係る入力装置は、ユーザ操作取得手段が所定のユーザ操作を取得したとき、提示情報を取得する提示情報取得手段を備え、信号パターン取得手段は、上記提示情報取得手段が取得した上記提示情報に対応する信号パターンを、信号パターン記憶部に記憶されている信号パターンから抽出し、制御信号送信手段は、信号パターン取得手段が抽出した信号パターンに基づく制御信号を電子機器に対して送信する構成である。
【００２８】
また、本発明に係る入力装置の制御方法は、ユーザ操作取得ステップにて所定のユーザ操作を取得したとき、提示情報を取得する提示情報取得ステップを含み、信号パターン取得ステップにて、上記提示情報取得ステップにて取得した上記提示情報に対応する信号パターンを、上記信号パターン記憶部に記憶されている信号パターンから抽出し、制御信号送信ステップにて、上記信号パターン取得ステップにて抽出した上記信号パターンに基づく制御信号を電子機器に対して送信する方法である。
【００２９】
それゆえ、電子機器の動作とは関係のない提示情報を、電子機器が動作に伴って報知情報を提示することを利用して、ユーザに提示させることができるという効果を奏する。
【発明を実施するための最良の形態】
【００３０】
本発明の一実施形態について図１ないし図１１に基づいて説明すると以下の通りである。
【００３１】
まず、図１〜４を用い、本実施の形態に係るテレビシステムおよび、それを構成する表示装置（テレビ）およびリモコン装置について説明する。
【００３２】
図１は、本実施の形態に係るリモコン装置１の構成を表し、１つのチャンネルボタンと同じ信号を出力する場合のブロック図である。
【００３３】
図２は、本実施の形態に係るリモコン装置１の構成を表し、表示装置２０に複数桁のチャンネル番号を表示させる信号を出力する場合のブロック図である。
【００３４】
図３は、本実施の形態に係るリモコン装置１の構成を表し、表示装置２０に複数桁のバーション番号を３桁入力モードで３桁ずつ表示させる信号を出力する場合のブロック図である。
【００３５】
図４は、本実施の形態に係る表示装置の構成を表すブロック図である。
【００３６】
テレビシステム１５は、表示装置（テレビ）２０と、表示装置（テレビ）２０を遠隔操作するリモコン装置１とからなる。
【００３７】
表示装置（テレビ）２０は、リモコン装置１から受信したチャンネル切り換え信号（無線信号）に従ってチャンネル切り換えを行う時、切り換え後のチャンネルのチャンネル番号（報知情報）を表示する。
【００３８】
リモコン装置１は、表示装置（テレビ）２０に対して制御信号、例えば、チャンネル切り換え信号（無線信号）を送信する。
【００３９】
リモコン装置１は、入力部２、入力検出部３、制御部４、バージョン記憶部７、パターン記憶部９を少なくとも備えて構成されている。
【００４０】
まず、バージョン記憶部（提示情報記憶部）７は、リモコン装置１に搭載されているファームウェアのバージョン番号（提示情報）を記憶する。
【００４１】
また、パターン記憶部（信号パターン記憶部）９は、チャンネル番号に対応付けて該チャンネル番号のチャンネルへのチャンネル切り換えのための信号パターンを記憶する。
【００４２】
そして、入力部（ユーザ操作取得手段）２は、ユーザが操作するキー等であり、各キー等に割り当てられたキーコード等によってユーザ操作を取得する。ユーザは、入力部２のキー等を操作することによって、表示装置２０に制御信号を送信することができる。具体的には、入力部２のキーには、テレビ放送等の各チャンネルの切替、表示装置２０の電源のオン／オフの切替、ＰＣ画面とＴＶ画面の切替、またはタイマー、画質等の設定等の機能が割り当てられている。特に、入力部２は、ユーザがチャンネル切り換えを行う時に、ユーザが指定した、切り換え後のチャンネルのチャンネル番号を取得することができる。
【００４３】
入力検出部３は、ユーザが操作した入力部２のキー等を識別するためのものであり、制御部４から検出実行コマンドを検出すると、ユーザが操作した入力部２のキー等を識別するための入力キー情報を起動キー入力検出部５に出力する。
【００４４】
制御部４は、起動キー入力検出部５、バージョン取得部６、パターン取得部８、無線信号送信部１０、タイマ１１（図２）、３桁入力指示部１２（図２、図３）を備えて構成されている。また、制御部４は、入力部２からの通知により制御を開始するものであり、入力検出部３にキー等の検出実行コマンドを送信し、入力検出部３から押下中のキー入力を受け取る。
【００４５】
起動キー入力検出部５は、入力検出部３から出力された入力キー情報が有効なキー入力であるか否かを判定し、入力キー情報は有効なキー入力であると判定した場合、入力キー情報が予め決められたキー入力であるか否かを判定する。そして、予め決められたキー入力（例えば、「音量−」＋「赤」）であると判定した場合、ファームウェアのバージョンの取得を指示するバージョン取得指示をバージョン取得部６に対して出力する。
【００４６】
バージョン取得部（提示情報取得手段）６は、入力部２の所定のユーザ操作（本実施の形態では、「音量−」＋「赤」）を取得したとき、バージョン記憶部７からファームウェアのバージョン番号（提示情報）を取得する。特に、バージョン取得部６は、入力部２がパターン記憶部９に記憶されている信号パターンに対応付けられていない所定のユーザ操作（本実施の形態では、「音量−」＋「赤」）を取得したとき、バージョン記憶部７からファームウェアのバージョン番号（提示情報）を取得する。
【００４７】
パターン取得部（信号パターン取得手段）８は、入力部２がユーザが選択したチャンネル番号を取得したとき、該チャンネル番号に対応付けられた信号パターンをパターン記憶部９から取得する。特に、パターン取得部８は、バージョン取得部６が取得したファームウェアのバージョン番号（提示情報）に対応する信号パターンを、パターン記憶部９に記憶されているチャンネル切り換えのための信号パターンから抽出する。
【００４８】
無線信号送信部（制御信号送信手段）１０は、パターン取得部（信号パターン取得手段）８が取得した信号パターンに基づくチャンネル切り換え信号を表示装置２０に対して送信する。特に、無線信号送信部１０は、パターン取得部８がファームウェアのバージョン番号（提示情報）に対応する信号パターンとして抽出した信号パターンに基づくチャンネル切り換え信号を表示装置２０に対して送信する。
【００４９】
また、バージョン取得部６が取得したバージョン番号が複数の分割情報に分割できる場合、パターン取得部８は、バージョン番号を複数の分割情報に分割し、該分割情報のそれぞれについて、対応する信号パターンをパターン記憶部９に記憶されている信号パターンから抽出する。そして、無線信号送信部１０は、パターン取得部８が分割情報ごとに抽出した各信号パターンに基づく各制御信号を、所定の時間間隔をあけながら順番に表示装置２０に対して送信する。
【００５０】
具体的には、バージョン取得部６が取得したバージョン番号が複数桁からなる場合、パターン取得部８は、バージョン番号を各桁の数字に分割し、各桁の数字について、対応する信号パターンをパターン記憶部９に記憶されている信号パターンから抽出する。そして、無線信号送信部１０は、パターン取得部８が各桁の数字ごとに抽出した各信号パターンに基づく各制御信号を、所定の時間間隔をあけながら順番に表示装置２０に対して送信する。これにより、複数桁よりなるバージョン番号を、表示装置２０に対して送信して提示させることができる。なお、制御信号同士の間の時間間隔は、表示装置２０に１桁ずつ表示する場合には、ユーザが読み取るための時間だけあければよいし、複数桁まとめて表示可能な表示装置２０に送信する場合には、表示装置２０が制御信号を確実に受信できる時間だけあければよい。
【００５１】
なお、タイマ１１、３桁入力指示部１２については、後述する。
【００５２】
また、ファームウェアのバージョン番号、およびファームウェアのバージョン番号に対応する信号パターンが、ファームウェアにハードコーティングされていてもよい。
【００５３】
表示装置２０は、無線信号受信部２１、操作コマンド記憶部２２、制御部２３、表示部（画面）２４を少なくとも備えて構成されている。
【００５４】
無線信号受信部２１は、リモコン装置１の無線信号送信部１０から無線信号を受信すると、無線信号から変換した無線信号パターンを操作コマンド記憶部２２に出力する。
【００５５】
操作コマンド記憶部２２は、無線信号受信部２１から出力される無線信号パターンを検出すると、操作コマンド記憶部２２に予め記憶されており、無線信号の信号パターンに対応付けられている操作コマンドを読み込む。そして、操作コマンド記憶部２２は操作コマンドを制御部２３に出力する。
【００５６】
制御部２３は、操作コマンド記憶部２２から出力される操作コマンドを検出し、操作コマンドが表示装置２０を操作するための情報ではないか否かを判定し、操作コマンドに予め対応付けられている制御を決定する。制御部２３は、決定した制御が、チャンネル切り替えであるか否か、チャンネル番号表示であるか否か、３桁入力モード移行であるか否か、３桁入力モード中の数字入力であるか否か、または、表示装置２０の電源ＯＦＦであるか否かを判定し、表示装置２０を制御する。
【００５７】
表示部（画面）２４は、ユーザインターフェースであり、テレビやＰＣ等の表示画面である。そして、制御部２３から数字を表示するための情報を検出すると、数字を表示するための情報に基づいて数字を表示する。
【００５８】
本実施の形態においては、リモコン装置１の入力部２が１回押下される度に、リモコン装置１からＪ回の無線信号が表示装置２０の受信部２１に送信されるものとする。Ｊ回は、表示装置２０が送信されてきた無線信号が有効な無線信号パターンとして認識するのに必要な無線信号の受信回数である。
【００５９】
３桁入力指示部１２は、起動キー入力検出部５から出力される指示を検出すると「３桁入力」キーのキーコード出力の指示をパターン取得部８に出力するものである。
【００６０】
タイマ１１は、パターン取得部８にウェイト時間Ｔ、Ｕを通知するためのものである。
【００６１】
〔リモコン装置１の処理の流れ〕
（１つのチャンネルボタンと同じ信号を出力する場合）
次に、表示装置２０の表示部２４にチャンネルボタンと同じ信号を出力するリモコン装置１の処理の流れについて説明する。
【００６２】
図５は、リモコン装置１における処理の流れを示すフローチャートである。
【００６３】
入力部２は、入力部２が押下されると、入力部２に何らかの入力があった旨の情報を制御部４に出力する。制御部４は、入力部２から入力部２に何らかの入力があった旨の情報を検出すると制御を開始し、入力検出部３に検出実行コマンドを出力する（Ｓ１）。
【００６４】
つぎに、入力検出部３は、制御部４から出力される検出実行コマンドを検出すると、ユーザが押下しているキーを識別するための入力キー情報を起動キー入力検出部５に出力する。そして、起動キー入力検出部５は、入力検出部３から出力される入力キー情報を取得する（Ｓ２）。なお、Ｓ２にて、チャタリングを防止するための対策処理を行ってもよい。チャタリング対策は一般的に使用されている方法を適用することができる。
【００６５】
つぎに、起動キー入力検出部５は、入力検出部３から出力された入力キー情報を取得すると、入力キー情報が有効なキー入力であるか否かを判定する（Ｓ３）。
【００６６】
そして、Ｓ３において、起動キー入力検出部５が入力キー情報は有効なキー入力ではないと判定した場合（Ｓ３でＹＥＳ）リモコン装置１の処理は終了する。
【００６７】
また、Ｓ３において、起動キー入力検出部５が入力キー情報は有効なキー入力であると判定した場合（Ｓ３でＮＯ）、起動キー入力検出部５は、入力キー情報が予め決められたキー入力であるか否かを判定する（Ｓ４）。ここで、上記予め決められたキー入力は、通常は用いられないキーの組合せに設定しておく。本実施の形態においては、上記予め決められたキー入力を「音量−」＋「赤」とする。なお、上記予め決められたキー入力は任意に設定することができる。
【００６８】
起動キー入力検出部５は、入力キー情報が「音量−」＋「赤」である場合（Ｓ４でＹＥＳ）、バージョン取得部６にファームウェアのバージョンの取得を指示するバージョン取得指示を出力する。
【００６９】
バージョン取得部６は、起動キー入力検出部５からバージョン取得指示を検出すると、バージョン記憶部７に予め記憶されているファームウェアのバージョン情報を読み込む（Ｓ５）。
【００７０】
バージョン取得部６は、読み込んだファームウェアのバージョン情報と同一の数字をパターン取得部８に出力する。そして、パターン取得部８は、バージョン取得部６から受信したファームウェアのバージョン番号と同一の数字の番号のチャンネルへの切換用の無線信号パターンとして、該チャンネル番号と対応付けられて格納されている無線信号パターンをパターン記憶部９から読み込む（Ｓ６）。
【００７１】
そして、パターン取得部７は、読み込んだ上記無線信号パターンを無線信号送信部１０に出力する（Ｓ７）。
【００７２】
無線信号送信部１０は、パターン取得部７から出力される無線信号パターンを検出すると、検出した無線信号パターンに基づいて生成した無線信号を、表示装置２０の無線信号受信部２１に出力する。そして、Ｓ１の処理に戻る。
【００７３】
一方、Ｓ４において、起動キー入力検出部５が、入力キー情報が予め決められたキー入力ではないと判定した場合、すなわち、入力キー情報が「音量−」＋「赤」ではない場合（Ｓ４でＮＯ）、起動キー入力検出部５は、入力キー情報をパターン取得部８に出力する。例えば、「２」のキーが押下された場合には、「２」のキーコードをパターン取得部８に出力する。
【００７４】
パターン取得部８は、起動キー入力検出部５から出力される入力キー情報と対応付けされている無線信号パターンを取得する旨の情報を検出すると、パターン記憶部９に予め記憶されている入力キー情報に対応する無線信号パターンを読み込む（Ｓ８）。そして、パターン取得部８は、読み込んだ無線信号パターンを無線信号送信部１０に出力する（Ｓ９）。
【００７５】
そして、無線信号送信部１０は、パターン取得部８から出力される無線信号パターンを検出すると、検出した無線信号パターンに基づき無線信号を表示装置２０の無線信号受信部２１に出力する。そして、Ｓ１の処理に戻る。
【００７６】
なお、Ｓ６において、ファームウェアのバージョン番号は数字に限定されない。また、ファームウェアのバージョン番号とチャンネル番号が異なっていたとしても、ファームウェアのバージョン番号とチャンネル番号とが対応付けがされていれば問題がない。
【００７７】
（複数桁表示する場合）
次に、表示装置２０の表示部２４に複数桁のチャンネル番号を表示させる場合のリモコン装置１における処理の流れについて説明する。
【００７８】
図６は、リモコン装置１における処理の流れを示し、表示装置に複数桁の数字を表示させる場合のフローチャートである。
【００７９】
なお、Ｓ２１〜Ｓ２４およびＳ３０、Ｓ３１のそれぞれは、Ｓ１〜Ｓ４およびＳ８、Ｓ９と同様であるため説明を省略する。
【００８０】
Ｓ２４において、起動キー入力検出部５は、入力キー情報が「音量−」＋「赤」である場合（Ｓ２４でＹＥＳ）、バージョン取得部６にファームウェアのバージョンの取得を指示するバージョン取得指示を出力する。
【００８１】
バージョン取得部６は、起動キー入力検出部５からバージョン取得の指示を取得すると、バージョン記憶部７に予め記憶されているファームウェアバージョンを読み込む。そして、バージョン取得部６は桁カウンタに、ファームウェアのバージョン番号の桁数を入力する（Ｍ＝Ｎ）（Ｓ２５）。
【００８２】
バージョン取得部６は、ファームウェアのバージョン番号、桁カウンタをパターン取得部８に出力する。そして、パターン取得部８は、バージョン取得部６から受信したファームウェアのバージョン番号のＭ桁目と同一の数字の番号のチャンネルへの切換用の無線信号パターンとして、該チャンネル番号と対応付けられて格納されている無線信号パターンをパターン記憶部９から読み込む（Ｓ２６）。
【００８３】
そして、パターン取得部８は、読み込んだ上記無線信号パターンを無線信号送信部１０に出力するとともに、桁カウンタを１だけ減算する（Ｍ＝Ｍ−１）（Ｓ２７）。
【００８４】
パターン取得部７は、桁カウンタが０か否かを判定する（Ｓ２８）。
【００８５】
そして、カウンタが０で無い場合（Ｓ２８のＮＯ）、パターン取得部８は、パターン取得部８（例えば、１秒）だけウェイトした後Ｓ２６の処理に戻る（Ｓ２９）。
【００８６】
一方、Ｓ２８において、パターン取得部７は、桁カウンタが０である場合（Ｓ２８のＹＥＳ）、Ｓ２１の処理に戻る。
【００８７】
このように、Ｓ２６〜Ｓ２９までの処理を、カウンタＭが０になるまで繰り返すことにより、バージョン番号の数字の１桁ずつについて、同じ番号のチャンネルへ切換えるための無線信号パターンを送信する。
【００８８】
なお、ウェイト時間Ｔは、表示部２４を観察している観察者が、表示部２４に表示されるチャンネルを確認するための時間、又は表示装置２０が、無線信号送信部１０から連続してＪ回送信されてくる無線信号パターンのそれぞれを認識するのに必要な時間のいずれかの長いほうの時間に設定する。
【００８９】
また、Ｓ２７において、パターン取得部７は上記無線信号パターンをＪ回以上無線信号送信部１０に出力してもよい。
【００９０】
（複数桁のバーション番号を３桁入力モードで３桁ずつ表示するの場合）
次に、表示装置２０の表示部２４にバーション番号を３桁入力モードで３桁ずつ表示させる場合のリモコン装置１における処理の流れについて説明する。
【００９１】
図７は、リモコン装置１における処理の流れを示し、表示装置に複数桁のバーション番号を３桁入力モードで３桁ずつ表示させる場合のフローチャートである。
【００９２】
なお、Ｓ４１〜Ｓ４４、Ｓ５２、Ｓ５３のそれぞれは、Ｓ２１〜Ｓ２４、Ｓ３０、Ｓ３１のそれぞれ、およびＳ１〜Ｓ４、Ｓ８、Ｓ９のそれぞれと同様であるため説明を省略する。
【００９３】
起動キー入力検出部５は、入力キー情報が「音量−」＋「赤」である場合（Ｓ４４でＹＥＳ）、バージョン取得部６にファームウェアのバージョンの取得を指示するためのバージョン取得指示を出力するとともに、３桁入力指示部１２へ「３桁入力」キーの信号を発生させるための指示を出力する。なお、リモコン装置１は、３桁のチャンネル番号を入力するための「３桁入力」キーを、入力部２に備えている。
【００９４】
３桁入力指示部１２は、起動キー入力検出部５から出力される指示を検出すると「３桁入力」キーのキーコード出力の指示をパターン取得部８に出力する。
【００９５】
そして、パターン取得部８は、バージョン取得部６から出力される「３桁入力」キーのキーコード出力の指示を検出すると、パターン取得部８に予め記憶されている「３桁入力」キーの無線信号パターンを読み込み、無線信号送信部１０へ出力する。つづいて、無線信号送信部１０は、パターン取得部８から検出した「３桁入力」キーの信号パターンを表示装置２０の無線信号受信部２１に出力する（Ｓ４５）。
【００９６】
つぎに、パターン取得部８は、ウェイト時間Ｕ（例えば、１６０ミリ秒）だけウェイトした後、Ｓ４７へ進む（Ｓ４６）。なお、ウェイト時間Ｕについては、後述する。
【００９７】
バージョン取得部６は、起動キー入力検出部５からバージョン取得の指示を取得すると、バージョン記憶部７に予め記憶されているファームウェアのバージョンを読み込む。そして、バージョン取得部６は桁カウンタにファームウェアのバージョン番号の桁数を入力する（Ｍ＝Ｎ）（Ｓ４７）。
【００９８】
バージョン取得部６は、ファームウェアのバージョン番号、桁カウンタをパターン取得部８に出力する。そして、パターン取得部８は、バージョン取得部６から受信したファームウェアのバージョン番号のＭ桁目と同一の数字の番号のチャンネルへの切換用の無線信号パターンとして、該チャンネル番号と対応付けられて格納されている無線信号パターンをパターン記憶部９から読み込む（Ｓ４８）。
【００９９】
そして、パターン取得部８は、読み込んだ上記無線信号パターンを無線信号送信部１０に出力するとともに、桁カウンタを１だけ減算する（Ｍ＝Ｍ−１）（Ｓ４９）。
【０１００】
パターン取得部７は、桁カウンタが０か否かを判定する（Ｓ５０）。
【０１０１】
そして、桁カウンタが０でない場合（Ｓ５０でＮＯ）、パターン取得部８は、ウェイト時間Ｕ（例えば、１６０ミリ秒）だけウェイトした後、Ｓ４８の処理に戻る（Ｓ５１）。
【０１０２】
一方、Ｓ５０において、パターン取得部７は、桁カウンタが０であると判定した場合（Ｓ５０のＹＥＳ）、Ｓ４１の処理に戻る。
【０１０３】
このように、Ｓ４８〜Ｓ５１までの処理を、桁カウンタが０になるまで繰り返すことにより、バージョン番号の数字の１桁ずつについて、同じ番号のチャンネルへ切換えるための無線信号パターンを送信する。
【０１０４】
ウェイト時間Ｕは、表示装置２０が連続操作を認識するために必要なウェイト時間である。従って、ウェイト時間Ｕは、表示装置２０が連続操作を認識することができる範囲で任意に設定することができる。
【０１０５】
（表示装置の処理の流れ）
次に、表示装置２０における処理の流れについて説明する。図８は、表示装置２０における処理の流れを示すフローチャートである。
【０１０６】
表示装置２０のチャンネルが切り変わった際、チャンネル番号を表示部２４に表示できるものとする。
【０１０７】
無線信号受信部２１は、リモコン装置１の無線信号送信部１０から無線信号を受信すると、無線信号から変換した無線信号パターンを操作コマンド記憶部２２に出力する。
【０１０８】
操作コマンド記憶部２２は、無線信号受信部２１から出力される無線信号パターンを検出すると、操作コマンド記憶部２２に予め記憶されており、無線信号の信号パターンに対応付けられている操作コマンドを読み込む。そして、操作コマンド記憶部２２は操作コマンドを制御部２３に出力する（Ｓ６１）。
【０１０９】
制御部２３は、操作コマンド記憶部２２から出力される操作コマンドを検出すると、操作コマンドが表示装置２０を操作するための情報では無いか否かを判定する（Ｓ６２）。
【０１１０】
また、Ｓ６２において、制御部２３は、操作コマンドが表示装置２０を操作するための情報であると判定した場合（Ｓ６２のＮＯ）、操作コマンドに予め対応付けられている制御を決定する（Ｓ６３）。なお、制御部２３は、操作コマンドが表示装置２０を操作するための情報ではないと判定した場合（Ｓ６２のＹＥＳ）、Ｓ６１の処理に戻る。
【０１１１】
そして、制御部２３は、決定した制御が、表示装置２０のチャンネルを切り換えるためのチャンネル切り替え操作であるか否かを判定する（Ｓ６４）。
【０１１２】
Ｓ６４において、制御部２３は、制御がチャンネル切り換え操作であると判定した場合（Ｓ６４のＹＥＳ）、表示装置２０のチャンネルを切り替え（Ｓ６５）、表示部２４にチャンネル番号を表示する（Ｓ６６）。
【０１１３】
Ｓ６４において、制御部２３は、制御がチャンネル切り換え操作では無いと判定した場合（Ｓ６４のＮＯ）、制御部２３は、制御が表示部２４にチャンネル番号を表示させるための情報であるか否かを判定する（Ｓ６７）。
【０１１４】
制御部２３は、制御が表示部２４にチャンネル番号を表示させるための操作である判定した場合（Ｓ６７のＹＥＳ）、Ｓ６６の処理に移行する。
【０１１５】
そして、制御部２３は、制御が表示部２４にチャンネル番号を表示させるための操作で無いと判定した場合（Ｓ６７のＮＯ）、次に、制御部２３は、制御が３桁入力モードに移行するための操作であるか否かを判定する（Ｓ６８）。
【０１１６】
Ｓ６８において、制御部２３は、制御が３桁入力モードに移行するための操作であると判定した場合（Ｓ６８のＹＥＳ）、制御部２３は３桁入力モードに移行する。
【０１１７】
Ｓ６８において、制御部２３は、制御が３桁入力モードに移行するための操作でないと判定した場合（Ｓ６８のＮＯ）、次に、制御部２３は、制御が３桁入力モード中の数字入力であるか否かを判定する（Ｓ７０）。
【０１１８】
Ｓ７０において、制御部２３は、制御が３桁入力モード中の数字入力であると判定した場合（Ｓ７０のＹＥＳ）、表示部２４に数字を表示するための情報を出力する。そして、表示部２４は、制御部２３から数字を表示するための情報を検出すると、数字を表示するための情報に基づいて数字を表示する（Ｓ７１）。
【０１１９】
Ｓ７１により、表示装置２０のチャンネル切り替え操作以外でも、例えば３桁入力を行う場合のように、リモコン装置１から入力した数字を、表示部２４に表示させることにより、ユーザはファームウェアのバージョン確認を行うことができる。
【０１２０】
Ｓ７０において、制御部２３は、制御が３桁入力モード中の数字入力で無いと判定した場合（Ｓ７０のＮＯ）、制御部２３は、制御が表示装置２０の電源をＯＦＦするための操作であるか否かを判定する（Ｓ７２）。
【０１２１】
Ｓ７２において、制御部２３は、制御が表示装置２０の電源をＯＦＦするための操作で無いと判定した場合（Ｓ７２のＮＯ）、制御部２３は、制御に従って、電源ＯＦＦ以外の動作を表示装置２０に対して行う（Ｓ７３）。
【０１２２】
Ｓ７２において、制御部２３は、制御が表示装置２０の電源をＯＦＦするための操作であると判定した場合（Ｓ７２のＹＥＳ）、制御部２３は、表示装置２０の電源をＯＦＦする。これにより、表示装置２０の処理が終了する。
【０１２３】
なお、Ｓ６５、Ｓ６６において、例えばチャンネル登録がされていない等の理由で、チャンネル切替ができない場合がある。このような場合は、例えば、表示部２４に「５チャンネルには切替できません」などのメッセージとして、切り替えようとしたチャンネル番号を表示する機能があれば、表示部２４にチャンネル番号が表示されることにより、ユーザは、リモコン装置１のファームウェアのバージョンを確認することができる。
【０１２４】
〔現象説明〕
次にテレビシステム１５の動作について図９から図１１に基づいて説明する。
【０１２５】
図９は、リモコン装置１を操作した場合の表示装置２０の動作を表し、表示部２４に１つのチャンネルボタンと同じ信号を表示する場合の説明図である。
【０１２６】
図１０は、リモコン装置１を操作した場合の表示装置２０の動作を表し、表示部２４に複数桁の数字を表示する場合の説明図である。
【０１２７】
図１０は、リモコン装置１を操作した場合の表示装置２０の動作を表し、表示部２４に複数桁のバーション番号を３桁入力モードで３桁ずつ表示させる場合の説明図である。
【０１２８】
（１桁表示する場合）
初めに、表示部２４に１つのチャンネルボタンと同じ信号を出力する場合のテレビシステム１５の動作について図９に基づいて説明する。例えばファームウェアのバージョンが「１」または「２」である場合について説明する。
【０１２９】
リモコン装置１の通常には組み合わせされないボタンが押下される（状態Ｒａ１）と、リモコン装置１は、リモコン装置１に記録されているファームウェアのバージョンと対応付けされているチャンネル番号の無線信号パターンを、リモコン装置１のパターン記憶部９から読み込み（Ｓ６）、そして、リモコン装置１は、読み込んだ上記無線信号パターンに基づき無線信号を生成し（Ｓ７）、この無線信号を表示装置２０の無線信号受信部２１に対して送信する。
【０１３０】
電源がＯＮされている表示装置２０は（状態Ｔｂ１）、上記無線信号を受信すると、操作コマンドに基づき制御を決定する（Ｓ６２〜Ｓ７２）。なお、状態Ｔｂ１において、表示部２４にどのチャンネルが表示されていてもよい。
【０１３１】
リモコン装置１のファームのバージョンが「１」である場合、表示装置２０は、チャンネルをチャンネル１に切り替え（Ｓ６５）、表示部２４に「１」を表示させる（状態Ｔｂ２）。
【０１３２】
また、リモコン装置１のファームのバージョンが「２」である場合、表示装置２０は、チャンネルをチャンネル２に切り替え（Ｓ６５）、表示部２４に「２」を表示させる（Ｔｂ２）。
【０１３３】
このように、本実施形態によれば、簡単な操作で誰にでも直ぐにリモコンのファームのバージョンを確認する事が可能である。さらに、生産性およびユーザサポートの向上が可能である。
【０１３４】
（複数桁のバーション番号を１桁ずつ表示する場合）
次に、表示部２４に複数桁の数字を１桁ずつ表示させる場合のテレビシステム１５の動作について図１０に基づいて説明する。例えばファームウェアのバージョンが「３４」である場合について説明する。
【０１３５】
表示装置２０の電源はオン（ＯＮ）されているものとする。この際、表示部２４に表示されているチャンネルは、どのチャンネルが表示されていてもよい（状態Ｔｂ１）。
【０１３６】
リモコン装置１の通常には組み合わせて使用されないボタン（「音量−」＋「赤」）が押下されると、リモコン装置１は、表示装置２０のチャンネルをチャンネル３に切り替える信号パターンを含む無線信号を表示装置２０の無線信号受信部２１に対して送信する（状態Ｒｂ１）。
【０１３７】
表示装置２０は、リモコン装置１から送信されるチャンネル３に切り替える信号パターンを含む無線信号を無線信号受信部２１により受信すると、表示装置２０のチャンネルをチャンネル３に切り替える。そして、表示装置２０は、表示部２４に「３」を表示する（状態Ｔｂ２）。
【０１３８】
つぎに、リモコン装置１は、チャンネル３に切り替える信号パターンを含む無線信号を送信してから１秒経過後、表示装置２０のチャンネルをチャンネル４に切り替える信号パターンを含む無線信号を表示装置２０の無線信号受信部２１に対して送信する（状態Ｒｂ２）。そして、表示装置２０は、リモコン装置１から送信されるチャンネル４に切り替えるのと同じ信号パターンを含む無線信号を受信すると、表示装置２０のチャンネルをチャンネル４に切り替える。そして、表示装置２０は、表示部２４に「４」を表示する。
【０１３９】
このように、リモコン装置１が信号を送信する際、桁と桁との間で１秒間のウェイト時間（Ｔ）を設けることにより、表示装置２０では番号をウェイト時間だけ表示し続けることができる。
【０１４０】
（複数桁のバーション番号を３桁入力モードで３桁ずつ表示する場合）
次に、表示部２４に３桁の数字を表示させる場合のテレビシステム１５の動作について図１１に基づいて説明する。例えばファームウェアのバージョンが「１．５４」である場合について説明する。
【０１４１】
表示装置２０の電源はオン（ＯＮ）されているものとする。この際、表示部２４に表示されているチャンネルは、どのチャンネルが表示されていてもよい（状態Ｔｃ１）。
【０１４２】
リモコン装置１の通常には組み合わせて使用されないボタン（「音量−」＋「赤」）が押下されると、リモコン装置１は、３桁入力ボタンを押下した時と同じ信号パターンを含む無線信号を表示装置２０の無線信号受信部２１に対して送信する（状態Ｒｃ１）。
【０１４３】
表示装置２０は、リモコン装置１から送信される３桁入力ボタンを押下した時と同じ信号パターンを含む無線信号を無線信号受信部２１により受信すると、表示装置２０を３桁入力モードに切り替える（状態Ｔｃ２）。
【０１４４】
そして、リモコン装置１は、表示装置２０のチャンネルをチャンネル１に切り替える信号パターンを含む無線信号を表示装置２０の無線信号受信部２１に対して送信する（状態Ｒｃ２）。表示装置２０は、リモコン装置１から送信されるチャンネル１に切り替える信号パターンを含む無線信号を受信すると、３桁のうちの１桁目を１とする。そして、表示装置２０は、表示部２４に１桁目として「１」を表示する（状態Ｔｃ３）。
【０１４５】
次にリモコン装置１は、表示装置２０のチャンネルをチャンネル５に切り替える信号パターンを含む無線信号を表示装置２０の無線信号受信部２１に対して送信する（状態Ｒｃ３）。表示装置２０は、リモコン装置１から送信されるチャンネル５に切り替える信号パターンを含む無線信号を受信すると、表示装置２０の「１」が表示されている箇所の横に「５」を表示させる。これにより、表示装置２０には「１５」が表示されていることになる（状態Ｔｃ４）。
【０１４６】
次にリモコン装置１は、表示装置２０のチャンネルをチャンネル４に切り替える信号パターンを含む無線信号を表示装置２０の無線信号受信部２１に対して送信する（状態Ｒｃ４）。表示装置２０は、リモコン装置１から送信されるチャンネル４に切り替える信号パターンを含む無線信号を受信すると、表示装置２０の「１５」が表示されている箇所の横に「４」を表示させる。これにより、表示装置２０には「１５４」が表示されていることになる（状態Ｔｃ５）。
【０１４７】
また、リモコン装置１の各ブロック、特に制御部４は、ハードウェアロジックによって構成してもよいし、次のようにＣＰＵを用いてソフトウェアによって実現してもよい。
【０１４８】
すなわち、制御部４は、各機能を実現する制御プログラムの命令を実行するＣＰＵ（central processing unit）、上記プログラムを格納したＲＯＭ（read only memory）、上記プログラムを展開するＲＡＭ（random access memory）、上記プログラムおよび各種データを格納するメモリ等の記憶装置（記録媒体）などを備えている。そして、本発明の目的は、上述した機能を実現するソフトウェアである制御部４の制御プログラムのプログラムコード（実行形式プログラム、中間コードプログラム、ソースプログラム）をコンピュータで読み取り可能に記録した記録媒体を、上記制御部４に供給し、そのコンピュータ（またはＣＰＵやＭＰＵ）が記録媒体に記録されているプログラムコードを読み出し実行することによっても、達成可能である。
【０１４９】
上記記録媒体としては、例えば、磁気テープやカセットテープ等のテープ系、フロッピー（登録商標）ディスク／ハードディスク等の磁気ディスクやＣＤ−ＲＯＭ／ＭＯ／ＭＤ／ＤＶＤ／ＣＤ−Ｒ等の光ディスクを含むディスク系、ＩＣカード（メモリカードを含む）／光カード等のカード系、あるいはマスクＲＯＭ／ＥＰＲＯＭ／ＥＥＰＲＯＭ／フラッシュＲＯＭ等の半導体メモリ系などを用いることができる。
【０１５０】
また、制御部４を通信ネットワークと接続可能に構成し、上記プログラムコードを通信ネットワークを介して供給してもよい。この通信ネットワークとしては、特に限定されず、例えば、インターネット、イントラネット、エキストラネット、ＬＡＮ、ＩＳＤＮ、ＶＡＮ、ＣＡＴＶ通信網、仮想専用網（virtual private network）、電話回線網、移動体通信網、衛星通信網等が利用可能である。また、通信ネットワークを構成する伝送媒体としては、特に限定されず、例えば、ＩＥＥＥ１３９４、ＵＳＢ、電力線搬送、ケーブルＴＶ回線、電話線、ＡＤＳＬ回線等の有線でも、ＩｒＤＡやリモコンのような赤外線、Ｂｌｕｅｔｏｏｔｈ（登録商標）、８０２．１１無線、ＨＤＲ、携帯電話網、衛星回線、地上波デジタル網等の無線でも利用可能である。なお、本発明は、上記プログラムコードが電子的な伝送で具現化された、搬送波に埋め込まれたコンピュータデータ信号の形態でも実現され得る。
【０１５１】
なお、本実施の形態においては、表示装置２０はテレビであるとして説明を行ったが、テレビには限定されず、ＣＤやＭＤなどの媒体を再生させる再生装置であってもよい。この場合、本実施の形態で説明したようにチャンネル番号を表示させるかわりに、トラック番号を表示させるようにしてもよい。
【０１５２】
また、本実施の形態においては、リモコン装置１は、チャンネル番号を変更するための無線信号パターンを含む無線信号を表示装置２０に送信するものとして、説明を行ったが、音量を変更するための無線信号パターンを含む無線信号を表示装置２０に送信してもよい。
【０１５３】
すなわち、表示装置２０は、表示部２４にチャンネルの番号を表示することにより、リモコン装置１のファームウェアのバージョンを表示するものとして説明を行ったが、表示部２４に音量を示す数字を表示することによりリモコン装置１のファームウェアのバージョンを表示するものとしてもよい。
【０１５４】
以上説明したように、本実施の形態では、リモコン装置１の、例えば複数の入力部２（ボタン）が同時に押下されている状態になった時に、表示装置２０（テレビ）のチャンネルを特定のチャンネルに切り替える無線信号を出力する。この際、この複数の入力部２（ボタン）は、リモコン装置１のユーザが通常使用する場合には同時に押す必要がない組み合わせにしておく。そして、リモコン装置１のファームウェアのバージョンが異なる場合は、表示装置２０（テレビ）のチャンネルも異なるチャンネルに切り替わるようにする。また、０チャンネルの入力部２（ボタン）が無ければ、例えば１０チャンネルのボタンの信号等、１〜９チャンネル以外のボタンの信号で代用してもよい。そして、テレビのリモコン装置１のファームウェアのバージョンを細かく区別したい場合は、３桁入力も利用することができる。
【０１５５】
例えば、本実施の形態で説明したように、リモコン装置１に記録されているファームウェアのバージョンを確認するための入力キーの組み合わせを[音量−]＋[赤]とし、ファームウェアのバージョンが「２」（１桁）の場合、リモコン装置１は、[音量−]＋[赤]が押下されるとチャンネル番号「２」の無線信号パターンを含む無線信号を表示装置２０に送信する。そして表示装置２０はリモコン装置１に記録されているファームウェアのバージョンが「２」であることを表示する。
【０１５６】
また、ファームウェアのバージョンが「２４」（複数桁）の場合、リモコン装置１は、[音量−]＋[赤]が押下されると、チャンネル番号「２」および「４」の無線信号パターンを含む無線信号を時分割して表示装置２０に送信する。そして表示装置２０はリモコン装置１に記録されているファームウェアのバージョンが「２４」であることを表示する。
【０１５７】
さらに、ファームウェアのバージョンが「１．５４」（３桁以下）の場合、３桁入力を利用し、リモコン装置１は、[音量−]＋[赤]が押下されると、チャンネル番号「１」「５」「４」の無線信号パターンを含む無線信号を時分割して表示装置２０に送信する。そして表示装置２０はリモコン装置１に記録されているファームウェアのバージョンが「１．５４」であることを表示する。
【０１５８】
従って、本実施の形態によれば、リモコン装置１に記録されているファームウェアが更新された場合に、切り替わるチャンネルを予め決めておくことにより、リモコン装置１に記録されているファームウェアのバージョンを見分ける方法をその都度考えなくても良い。
【０１５９】
また、リモコン装置の外見が全く同じでも、リモコン装置を分解したりしなくてよいので、ファームウェアのバージョンを直ぐに確認することができ、低コストでバージョンの区別することができる。そして、ファームウェアのバージョン確認用に専用の器具を必要としないのでさらに、生産ライン、販売店、ユーザの自宅など何処でも容易にリモコン装置に記録されているファームウェアのバージョン確認を行うことができる。
【０１６０】
具体的には、例えば、リモコン装置の生産や修理を行う時、正しいバージョンのファームウェアが書き込まれているかを簡単に確認できる。また、テレビメーカーのサポートセンターから、量販店やユーザ宅で使用しているリモコン装置のファームウェアのバージョンを確認したい場合、特に専用の器具を必要とせず、簡単な操作でバージョンを確認できる。また、リモコン装置の開発中に多数のファームウェアのバージョンが存在したとしても、リモコン装置に書き込まれているファームウェアのバージョンを簡単に確認できる。
【産業上の利用可能性】
【０１６１】
本発明は、リモコン装置に記録されているファームウェアのバージョン等の情報を、テレビ等の表示装置へチャンネル切り換え等の制御信号にして送信し、表示装置でチャンネル切り換え等の動作に伴ってチャンネル番号等として提示させることができるため、表示装置としてのテレビ、ＣＤおよびＭＤ等に制御信号を送信するリモコン装置に広く利用できる。
【図面の簡単な説明】
【０１６２】
【図１】図１は、本発明の実施の一形態にかかるリモコン装置の構成を表し、１つのチャンネルボタンと同じ信号を出力する場合のブロック図である。
【図２】図２は、本発明の実施の一形態にかかるリモコン装置の構成を表し、表示装置に複数のチャンネル番号を表示させる信号を出力する場合のブロック図である。
【図３】図３は、本発明の実施の一形態にかかるリモコン装置の構成を表し、表示装置に複数桁のバーション番号を３桁入力モードで３桁ずつ表示させる信号を出力する場合のブロック図である。
【図４】図４は、本発明の実施の一形態にかかる表示装置の構成を表すブロック図である。
【図５】図５は、本発明の実施の一形態にかかるリモコン装置の処理の流れを示すフローチャートである。
【図６】図６は、本発明の実施の一形態にかかるリモコン装置の処理の流れを示すフローチャートである。
【図７】図７は、本発明の実施の一形態にかかるリモコン装置の処理の流れを示すフローチャートである。
【図８】図８は、本発明の実施の一形態にかかるリモコン装置から信号を送信される表示装置の処理の流れを示すフローチャートである。
【図９】図９は、本発明の実施の一形態にかかるリモコン装置を操作した場合の表示装置の動作を表す説明図である。
【図１０】図１０は、本発明の実施の一形態にかかるリモコン装置を操作した場合の表示装置の動作を表す説明図である。
【図１１】図１１は、本発明の実施の一形態にかかるリモコン装置を操作した場合の表示装置の動作を表す説明図である。
【符号の説明】
【０１６３】
１    リモコン装置（入力装置）
２    入力部（ユーザ操作取得手段）
６    バージョン取得部（提示情報取得手段）
７    バージョン記憶部（提示情報記憶部）
８    パターン取得部（信号パターン取得手段）
９    パターン記憶部（信号パターン記憶部）
１０    無線信号送信部（制御信号送信手段）
２０    表示装置（テレビ）（電子機器）
【図１】
2008236261.tif 000003
【図２】
2008236261.tif 000004
【図３】
2008236261.tif 000005
【図４】
2008236261.tif 000006
【図５】
2008236261.tif 000007
【図６】
2008236261.tif 000008
【図７】
2008236261.tif 000009
【図８】
2008236261.tif 000010
【図９】
2008236261.tif 000011
【図１０】
2008236261.tif 000012
【図１１】
2008236261.tif 000013